(57)【特許請求の範囲】
【請求項１】
差込対象に接続されるべく、その差込対象の受口に所要の差込寸法分差し込まれる通水管であって、
周面には、この通水管の軸心方向にとった前記差込寸法の範囲に、互いに表示の異なる複数の目印が前記軸心方向に距離をおいて付された目印群が設けられ、かつ、前記目印群が、その目印群における各目印の互いの相対位置を保持したまま、前記差込寸法をピッチとして前記軸心方向に連続して並ぶことで、
隣合う前記目印群における同一の目印が、前記差込寸法分離れて、この通水管が前記受口に差し込まれる長さを示すことを特徴とする通水管。
【請求項２】
前記目印は、周方向に引かれたラインと、そのラインを挟む両側または片側に表示される数字とか記号からなる符号との組み合わせで構成され、かつ、前記目印群内における前記目印を構成する前記符号の各々は、互いの表示が異なっている、請求項１に記載の通水管。
【請求項３】
前記目印は、前記差込寸法を前記目印群における前記目印の数で割った値をピッチとして前記軸心方向に並んでいることを特徴とする、請求項１または２に記載の通水管。
【請求項４】
前記目印のうち、一の目印とその一の目印とは表示が異なる他の目印との距離が、前記差込対象とは異なる他の差込対象の受口への差込寸法となっていることを特徴とする、請求項３に記載の通水管。
【請求項５】
請求項１ないし３のいずれか１項に記載の通水管と、前記差込対象とからなる、通水管装置。
【発明の詳細な説明】
【技術分野】
【０００１】
この発明は、差込対象への差込長さを示す目印が付された通水管および通水管装置に関するものである。
【背景技術】
【０００２】
従来、差込対象となる継手に接続される通水管としての樹脂パイプに、継手への差込長さを示す目印が付されたものがあった（例えば、特許文献１参照）。この目印は、周方向に引かれた周線を有しており、この周線が、樹脂パイプの軸心方向に、差込寸法をピッチとして、繰り返し画かれていた。そこで、この樹脂パイプを継手に接続するには、樹脂パイプを、その樹脂パイプの周線のところで切断する。そして、先端よりも後方にある一つ目の周線のところまで、樹脂パイプを継手に差し込む。こうして、樹脂パイプを継手に所要の長さまで差し込むことができた。
【０００３】
【特許文献１】特開２０００−８８１５４号公報
【発明の開示】
【発明が解決しようとする課題】
【０００４】
ところで、前記従来の通水管としての樹脂パイプにあっては、その樹脂パイプを継手に接続するにあたって、周線のところで切断するときに、誤って斜めに切断してしまう等切り損じることがあった。この場合には、樹脂パイプを、次の周線のところで再度切断すればよかったが、樹脂パイプが、差込寸法分むだになってしまった。
【０００５】
この発明は、上記した従来の欠点を解決するためになされたものであり、その目的とするところは、切り損じによるむだを少なくすることができる通水管および通水管装置を提供することにある。
【課題を解決するための手段】
【０００６】
この発明に係る通水管および通水管装置は、前記目的を達成するために、次の構成からなる。すなわち、
請求項１に記載の発明に係る通水管は、差込対象に接続されるべく、その差込対象の受口に所要の差込寸法分差し込まれる通水管である。ここで、通水管の周面には、この通水管の軸心方向にとった前記差込寸法の範囲に、互いに表示の異なる複数の目印が前記軸心方向に距離をおいて付された目印群が設けられ、かつ、前記目印群が、その目印群における各目印の互いの相対位置を保持したまま、前記差込寸法をピッチとして前記軸心方向に連続して並ぶ。そして、このことで、隣合う前記目印群における同一の目印が、前記差込寸法分離れて、この通水管が前記受口に差し込まれる長さを示す。
【０００７】
この通水管によると、通水管には、軸心方向における差込寸法の範囲に、互いに表示の異なる複数の目印が軸心方向に距離をおいて付された目印群が設けられ、かつ、その目印群が、その目印群における各目印の互いの相対位置を保持したまま、差込寸法をピッチとして軸心方向に連続して並んでいる。したがって、通水管を差込対象に接続するにあたって、目印のところで切断するときに、誤って斜めに切断する等の切り損じを生じた場合には、切り損じた目印の次の目印、つまり表示の異なる目印のところで切断する。ここで、切り損じが生じた目印と次の目印までの距離は、差込寸法の値よりも小さく、その切り損じによるむだが少なくなる。そして、この切断が適正である場合には、通水管を差込対象の受口に、適正に切断されたところの目印と表示が同じ次の目印位置まで差し込むことで、通水管は、受口に所要の長さ差し込まれる。
【０００８】
また、請求項２に記載の発明に係る通水管のように、請求項１に記載の通水管において、前記目印は、周方向に引かれたラインと、そのラインを挟む両側または片側に表示される数字とか記号からなる符号との組み合わせで構成され、かつ、前記目印群内における前記目印を構成する前記符号の各々は、互いの表示が異なってもよい。こうして、符号が、ラインを挟む両側または片側に表示されることで、通水管をライン上で切断したときに、この符号が切断されることなく表示状態のまま残ることとなる。
【０００９】
また、請求項３に記載の発明に係る通水管のように、請求項１または２に記載の通水管において、前記目印は、前記差込寸法を前記目印群における前記目印の数で割った値をピッチとして前記軸心方向に並んでもよい。
【００１０】
また、請求項４に記載の発明に係る通水管のように、請求項３に記載の通水管において、前記目印のうち、一の目印とその一の目印とは表示が異なる他の目印との距離が、前記差込対象とは異なる他の差込対象の受口への差込寸法となってもよい。
【００１１】
また、請求項５に記載の発明に係る通水管装置は、請求項１ないし３のいずれか１項に記載の通水管と、前記差込対象とからなる。
【発明の効果】
【００１２】
この発明に係る通水管および通水管装置によれば、通水管の軸心方向における差込寸法の範囲に、互いに表示の異なる複数の目印が軸心方向に距離をおいて付された目印群が設けられ、かつ、その目印群が、その目印群における各目印の互いの相対位置を保持したまま、差込寸法をピッチとして軸心方向に連続して並ぶことで、切り損じによるむだを少なくすることができ、かつ、通水管を差込対象の受口に支障なく所要の長さ差し込むことができる。
【発明を実施するための最良の形態】
【００１３】
以下、この発明に係る通水管および通水管装置を実施するための最良の形態を図面に基づいて説明する。
【００１４】
図１〜図９は、この発明の一実施の形態を示す。図中符号２は、差込対象としての継手である。１は、前記継手２の受口３に所要の差込寸法Ｌ分差し込まれる通水管である。
【００１５】
ここで、継手２は、水が通るように筒状に形成された継手本体２ａを備え、その継手本体２ａの一端側が、前記受口３となっている。そして、受口３は、通水管１の端部部分１ａが所定位置を越えて差し込まれるのを規制する規制部３ａを有する。図示実施の形態においては、受口３の内側が、通水管１の端部部分１ａが収容される収容孔３ｂとなり、その収容孔３ｂの奥端に、段部からなる前記規制部３ａが設けられている。そして、収容孔３ｂの奥側に、リング状の溝３ｅが形成されており、その溝３ｅに、オーリング等のパッキンからなる止水部材４が嵌められる。また、収容孔３ｂの口元側には、径大となるように窪む凹部３ｄが形成されており、この凹部３ｄに、後述する係合体５が嵌められる。また、受口３には、その外周部に開口する孔３ｆ、３ｆが、前記凹部３ｄを横切るように明けられており、この孔３ｆには、後述する取着体６が挿入される。
【００１６】
係合体５は、係合体本体５ａと、その係合体本体５ａの内側に保持されて通水管１を抜け止めする抜止めリング５ｂとからなる（図４参照）。係合体本体５ａは、筒状体５ｆと、その筒状体５ｆ内に収容されて、抜止めリング５ｂを挟むようにして支持する第１および第２の支持リング５ｇ、５ｈとからなる。筒状体５ｆは、前端に、第１の支持リング５ｇを抜け止めするように、内側に折れ曲がって延びる前部片５ｉを有している。そこで、筒状体５ｆには、その後方から、第１の支持リング５ｇと抜止めリング５ｂとが交互に挿入され、最後に第２の支持リング５ｈが挿入される。そして、筒状体５ｆの後端が、第２の支持リング５ｈを抑えるように内側にかしめられる。ここにおいて、第１の支持リング５ｇは、抜止めリング５ｂの数に合わせて、４つ設けられている。そして、第１の支持リング５ｇは、その内径が、通水管１の外径よりも大きく、通水管１との間に抜止めリング５ｂの後述する係止爪５ｄを収容する空隙５ｊが形成される。また、第２の支持体５ｈは、その内径が、通水管１の外径とほぼ同じであって、通水管１の外周面に近接あるいは当接するようになっている。なお、この係合体５は、通水管１の端部部分１ａにおける、外周面に止水部材４が密接するための端部部分前部１ｃよりも後方の、端部部分後部１ｄに設けられる。
【００１７】
抜止めリング５ｂは、例えば、ステンレス鋼板等の、金属製の板材からなり、そのリング本体５ｃが、平板リング状に形成されて、係止爪５ｄが、リング本体５ｃの周方向に並ぶようにして、複数（図示実施の形態においては、１４個）設けられている（図５参照）。この係止爪５ｄは、リング本体５ｃの内周から延設されて、先端部分は、中央が突出するように先細り状に形成されている。
【００１８】
取着体６は、例えば、金属製の線材からなり、略コの字形状に形成されている（図２参照）。この取着体６は、略コの字形状の対向する対向片６ｂ、６ｂが、通水管１を挟むように受口３の孔３ｆ、３ｆに挿入されて、係合体５の後端と係合する。このとき、取着体６における、対向片６ｂ、６ｂを繋ぐ中間片６ｃが、受口３に設けられた掛止部３ｇに掛かり、こうして、取着体６は、孔３ｆに対して抜け止めされる。この掛止部３ｇは、前記中間片６ｃと掛かり合う出っ張りＮを有して、受口３の外周から突設されており、少なくとも前記出っ張りＮは、弾性変形可能であるため、取着体６は、受口３に対して着脱可能となる（図３参照）。図示実施の形態においては、前記掛止部３ｇは、前記凹部３ｄを挟んで対向位置するように、受口３の外周に一対設けられている。
【００１９】
通水管１においては、図８に示すように、周面に、この通水管１の軸心方向Ｐにとった前記差込寸法Ｌの範囲に、互いに表示の異なる複数の目印１０、１０が前記軸心方向Ｐに距離をおいて付された目印群１１が設けられ、かつ、前記目印群１１が、その目印群１１における各目印１０の互いの相対位置を保持したまま、前記差込寸法Ｌをピッチとして前記軸心方向Ｐに連続して並んでいる。そして、このように前記目印群１１、１１が並ぶことで、隣合う目印群１１、１１における同一の目印１０、１０が、前記差込寸法Ｌ分離れて、この通水管１が受口３に差し込まれる長さを示す。詳細には、目印１０は、差込寸法Ｌを前記目印群１１における目印１０の数で割った値をピッチとして軸心方向Ｐに並んでいる。すなわち、隣合う目印１０、１０の間隔は、それぞれが同じ値となっている。
【００２０】
具体的には、目印１０は、周方向に引かれたライン１０ａと数字１０ｂとの組み合わせで構成されている。ここで、目印１０を構成するライン１０ａが、通水管１を切断する基準線の役割を果たし、目印１０を構成する数字１０ｂが、目印群１１内の各目印１０を区別する役割を果している。そして、これら数字１０ｂ、１０ｂには、１〜５の数字が順に割り当てられている。また、これら目印１０、１０は、通水管１の外周面に表示され、通水管１における周方向の一方側と他方側、すなわち、表側と裏側とに、同じように描かれている。なお、図中符号８は、通水管１の端部部分１ａに差し込まれるインコアである。また、符号１２は、通水管１と継手２とからなる、通水管装置である。そして、通水管１を継手２の受口３に差し込むにあたっては、図６に示すように、係合体５が装着された受口３に対して、通水管１を差し込んでもよく、また、図７に示すように、係合体５が取り付けられた通水管１を、受口３に差し込んでもよい。
【００２１】
この通水管１とか通水管装置１２によると、通水管１には、軸心方向Ｐにおける差込寸法Ｌの範囲に、互いに表示の異なる複数の目印１０、１０が、軸心方向Ｐに距離をおいて付されている。したがって、通水管１を継手２に接続するにあたって、目印１０のところで切断するときに、誤って斜めに切断する等の切り損じを生じた場合には、切り損じた目印１０の次の目印１０、つまり表示の異なる目印１０のところで切断する。ここで、切り損じが生じた目印１０と次の目印１０までの距離は、差込寸法Ｌの値よりも小さく、その切り損じによるむだが少なくなる。そして、この切断が適正である場合には、通水管１を継手２の受口３に、適正に切断されたところの目印１０と表示が同じ次の目印１０位置まで差し込むことで、通水管１は、受口３に、差込不足が生じることもなく所要の長さ差し込まれる。このように、通水管１の軸心方向Ｐにおける差込寸法Ｌの範囲に、互いに表示の異なる複数の目印１０、１０を、軸心方向Ｐに距離をおいて付すことで、切り損じによるむだを少なくすることができ、かつ、通水管１を継手２の受口３に支障なく所要の長さ差し込むことができる。
【００２２】
また、ここにおいて、図９に示すように、目印１０、１０のうち、一の目印１０とその一の目印１０とは表示が異なる他の目印１０との距離が、前記継手２（差込対象）とは異なる他の継手２Ｘ（他の差込対象）の受口３Ｘへの差込寸法ＬＸとなっていれば、これら目印１０、１０を用いて、他の継手２Ｘの受口３Ｘに対しても、通水管１を所要の長さ差し込むことができる。
【００２３】
なお、本発明は、上述した実施の形態に限定されるわけではなく、その他種々の変更が可能である。例えば、差込対象は、継手２でなくとも、例えば、水栓器具等であってもよい。
【００２４】
また、通水管１の目印１０においては、目印群１１内の各目印１０を区別するために、数字１０ｂを用いてるが、図１０に示すように、各種の記号１０ｃを用いても構わない。
【００２５】
また、目印１０における数字１０ｂとか記号１０ｃは、図示実施の形態においては、ライン１０ａと同じ位置にあるが、図１１〜図１３に示すように、ライン１０ａを挟む両側とか片側に表示されても構わない。すなわち、目印１０は、周方向に引かれたライン１０ａと、そのライン１０ａを挟む両側または片側に表示される数字１０ｂとか記号１０ｃからなる符号１０ｘとの組み合わせで構成されてもよい。ここにおいて、ライン１０ａは、通水管１を切断する基準となり、また、差込寸法Ｌを測る基準となる。そして、目印群１１内における目印１０を構成する符号１０ｘの各々は、互いの表示が異なっている。図１１〜図１３に示す通水管１は、符号１０ｘとして数字１０ｂを例に挙げたものであるが、勿論、数字１０ｂに替えて記号１０ｃを用いてもよい。ここで、図１１においては、ライン１０ａを挟む両側に、そのライン１０ａに近接して数字１０ｂ（符号１０ｘ）が表示されている。そして、図１２においては、ライン１０ａを挟む片側に、そのライン１０ａに近接して数字１０ｂ（符号１０ｘ）が表示されている。また、図１３においては、ライン１０ａを挟む片側に数字１０ｂ（符号１０ｘ）が表示されるが、その数字１０ｂ（符号１０ｘ）は、隣のライン１０ａとの間のちょうど中央位置に表示されている。そこで、このように、数字１０ｂ（符号１０ｘ）が、ライン１０ａを挟む両側または片側に表示されることで、通水管１をライン１０ａ上で切断したときに、この数字１０ｂ（符号１０ｘ）が切断されることなく表示状態のまま残ることとなり、この数字１０ｂ（符号１０ｘ）を容易に確認することができる。なお、図１４は、図１１に示す通水管１を例として、その通水管１が差込対象としての継手２の受口３に差し込まれた状態を表わす。
【００２６】
また、目印１０は、これら表示に限らず、通水管１を切断する目安となるものであれば、どのような表示であってもよい。
【００２７】
また、目印１０は、通水管１の外周面に表示されているが、通水管１が透明であったり半透明であったりして、内側が見える場合には、内周面に表示されても構わない。さらに、通水管１が、例えば、２層構造など肉厚方向に積層された、複数層構造からなって、外側の層が透明であったり半透明であったりするような場合には、目印１０は、外周面とか内周面以外に、中間の周面に表示されても構わない。
【００２８】
また、目印群１１内の各目印１０は、同一のピッチで通水管１の軸心方向Ｐに並ぶものでなくとも、隣合う目印１０、１０の間隔が異なるようにして並ぶものであってもよい。
【００２９】
また、通水管１は、所定の差込寸法Ｌを持った一種類の継手２（差込対象）に対応するものでなくとも、例えば、通水管１の周方向の所要各位置に、互いに異なる差込寸法Ｌに応じた目印１０を設けることで、差込寸法Ｌが異なる複数種類の継手２に対応するようにしてもよい。このとき、それぞれの差込寸法Ｌを示す目印１０には、例えば、数字とアルファベット等を用いるというように、異なる種類の符号を用いるのが好ましい。
【図面の簡単な説明】
【００３０】
【図１】この発明の一実施の形態の、通水管が継手の受口に差し込まれた状態を示す縦断面図である。
【図２】同じく、図１におけるＡ−Ａ線による断面図である。
【図３】同じく、図２におけるＢ矢視図である。
【図４】同じく、係合体の拡大断面図である。
【図５】同じく、抜止めリングを示し、（ａ）は、拡大平面図であり、（ｂ）は、（ａ）におけるＣ−Ｃ線による断面図である。
【図６】同じく、継手に通水管を接続する過程を示す縦断面図である。
【図７】同じく、継手に通水管を他の方法により接続する過程を示す縦断面図である。
【図８】同じく、通水管を示す正面図である。
【図９】同じく、通水管が他の継手の受口に差し込まれた状態を示す縦断面図である。
【図１０】この発明の他の実施の形態の図１相当図である。
【図１１】通水管の、他の変形例を示す、正面図である。
【図１２】通水管の、さらに他の変形例を示す、正面図である。
【図１３】通水管の、さらに他の変形例を示す、正面図である。
【図１４】図１１に示す通水管が継手の受口に差し込まれた状態を示す、縦断面図である。
【符号の説明】
【００３１】
１  通水管
２  継手（差込対象）
３  受口
１０  目印
１０ａ  ライン
１０ｂ  数字
１０ｃ  記号
１０ｘ  符号
１１  目印群
１２  通水管装置
Ｌ  差込寸法
Ｐ  軸心方向
２Ｘ  他の継手（他の差込対象）
３Ｘ  受口
ＬＸ  差込寸法
【図１】
0005060882.tif 000002
【図２】
0005060882.tif 000003
【図３】
0005060882.tif 000004
【図４】
0005060882.tif 000005
【図５】
0005060882.tif 000006
【図６】
0005060882.tif 000007
【図７】
0005060882.tif 000008
【図８】
0005060882.tif 000009
【図９】
0005060882.tif 000010
【図１０】
0005060882.tif 000011
【図１１】
0005060882.tif 000012
【図１２】
0005060882.tif 000013
【図１３】
0005060882.tif 000014
【図１４】
0005060882.tif 000015